(57)【特許請求の範囲】
【請求項１】
床面と隣接し側方に向けて開口する開口部を、屋外側から覆う、遮水板であって、
板状のパネル部と、
前記パネル部の周縁部を囲み、前記周縁部に沿って配置され互いに隣接した複数の部品を有したフレーム部と、
前記フレーム部に覆われ、前記パネル部と前記フレーム部との間をシールする弾性変形可能な内側シール部材と、
互いに隣接した前記複数の部品間の隙間を屋内側から覆う外側シール部材と、
前記外側シール部材の屋内側を向いた面を支持する第一支持面と、前記第一支持面とは反対側を向き前記遮水板と前記開口部が設けられる構造物との間をシールする第一のシール部材を支持する第二支持面と、を有した板状のサポート部材と、
を有した、遮水板。
【請求項２】
前記パネル部は、少なくとも前記遮水板の厚さ方向の両側に位置された一対の外側部材と、前記一対の外側部材の間に位置され当該外側部材よりも軽量な材料で構成された内側部材と、を有した、請求項１に記載の遮水板。
【請求項３】
前記フレーム部は、
前記パネル部の厚さ方向の両側を支持する一対の側壁部と、
前記一対の側壁部の間に亘り、前記パネル部の端面と間隔をあけて面した接続部と、
前記一対の側壁部から互いに近づく方向に突出し、前記端面を支持する突出部と、
を有した、請求項１または２に記載の遮水板。
【請求項４】
床面と隣接し側方に向けて開口する開口部を、屋外側から覆う、遮水板と、
前記遮水板と前記床面との間、および前記遮水板と前記開口部が設けられる構造物との間をシールする弾性変形可能な第一のシール部材と、
前記遮水板に設けられ、前記構造物に設けられた第一の引掛部から屋内側かつ下方へ力を受ける状態で前記第一の引掛部と引っ掛かるよう構成された第二の引掛部と、
を備え、
前記遮水板は、板状のパネル部と、
前記パネル部の周縁部を囲み、前記周縁部に沿って配置され互いに隣接した複数の部品を有したフレーム部と、
前記フレーム部に覆われ、前記パネル部と前記フレーム部との間をシールする弾性変形可能な内側シール部材と、
互いに隣接した前記複数の部品間の隙間を屋内側から覆う外側シール部材と、
前記外側シール部材の屋内側を向いた面を支持する第一支持面と、前記第一支持面とは反対側を向き前記第一のシール部材を支持する第二支持面と、を有した板状のサポート部材と、
を有した、開口部の防水装置。
【請求項５】
前記第二の引掛部には、前記第一支持面と前記第二支持面との間で前記サポート部材を貫通した開口部が設けられ、
前記第一の引掛部には、前記開口部を貫通する軸部と、前記軸部から突出し前記第一支持面と引っ掛かる頭部と、が設けられ、
前記頭部は、前記第一支持面と引っ掛かった状態で、当該第一支持面と前記外側シール部材との間に弾性的に挟まれている、請求項４に記載の開口部の防水装置。
【発明の詳細な説明】
【技術分野】
【０００１】
本発明は、遮水板および開口部の防水装置に関する。
【背景技術】
【０００２】
従来、開口部を屋外側から覆う防水シートを有した開口部の防水装置が知られている（例えば、特許文献１）。
【先行技術文献】
【特許文献】
【０００３】
【特許文献１】特許第４４５９７４０号公報
【発明の概要】
【発明が解決しようとする課題】
【０００４】
この種の構造では、例えば、開口部を介した屋内側への水の侵入が抑制されやすい新規な構成が得られれば有意義である。本発明の課題の一つは、例えば、屋内側への水の侵入が抑制されやすい新規な構成の遮水板および開口部の防水装置を得ることである。
【課題を解決するための手段】
【０００５】
本発明の遮水板は、例えば、床面と隣接し側方に向けて開口する開口部を、屋外側から覆う、遮水板であって、板状のパネル部と、上記パネル部の周縁部を囲み、上記周縁部に沿って配置され互いに隣接した複数の部品を有したフレーム部と、上記フレーム部に覆われ、上記パネル部と上記フレーム部との間をシールする弾性変形可能な内側シール部材と、互いに隣接した上記複数の部品間の隙間を屋内側から覆う外側シール部材と、上記外側シール部材の屋内側を向いた面を支持する第一支持面と、上記第一支持面とは反対側を向き上記遮水板と上記開口部が設けられる構造物との間をシールする第一のシール部材を支持する第二支持面と、を有した板状のサポート部材と、を有する。よって、例えば、内側シール部材によって、屋外側からパネル部とフレーム部との間に侵入した水が屋内側へ出るのが抑制される。また、外側シール部材によって、屋外側からパネル部とフレーム部との間に侵入した水が隙間を介して屋内側へ出るのが抑制される。
【０００６】
また、上記遮水板では、例えば、上記パネル部は、少なくとも上記遮水板の厚さ方向の両側に位置された一対の外側部材と、上記一対の外側部材の間に位置され当該外側部材よりも軽量な材料で構成された内側部材と、を有する。よって、例えば、内側部材の利点と外側部材の利点との双方を得ることができる。
【０００７】
また、上記遮水板では、例えば、上記フレーム部は、上記パネル部の厚さ方向の両側を支持する一対の側壁部と、上記一対の側壁部の間に亘り、上記パネル部の端面と間隔をあけて面した接続部と、上記一対の側壁部から互いに近づく方向に突出し、上記端面を支持する突出部と、を有する。
【０００９】
また、本発明の開口部の防水装置は、例えば、床面と隣接し側方に向けて開口する開口部を、屋外側から覆う、遮水板と、上記遮水板と上記床面との間、および上記遮水板と上記開口部が設けられる構造物との間をシールする弾性変形可能な第一のシール部材と、上記遮水板に設けられ、上記構造物に設けられた第一の引掛部から屋内側かつ下方へ力を受ける状態で上記第一の引掛部と引っ掛かるよう構成された第二の引掛部と、を備え、上記遮水板は、板状のパネル部と、上記パネル部の周縁部を囲み、上記周縁部に沿って配置され互いに隣接した複数の部品を有したフレーム部と、上記フレーム部に覆われ、上記パネル部と上記フレーム部との間をシールする弾性変形可能な内側シール部材と、互いに隣接した上記複数の部品間の隙間を屋内側から覆う外側シール部材と、上記外側シール部材の屋内側を向いた面を支持する第一支持面と、上記第一支持面とは反対側を向き上記第一のシール部材を支持する第二支持面と、を有した板状のサポート部材と、を有する。よって、例えば、第一の引掛部と第二の引掛部との引っ掛かりによって、第一のシール部材が弾性変形して面圧が増大され、遮水板と床面との間、および遮水板と構造物との間のシール性を向上させることができる。また、外側シール部材によって、屋外側からパネル部とフレーム部との間に侵入した水が隙間を介して屋内側へ出るのが抑制される。
また、上記開口部の防水装置では、例えば、上記第二の引掛部には、上記第一支持面と上記第二支持面との間で上記サポート部材を貫通した開口部が設けられ、上記第一の引掛部には、上記開口部を貫通する軸部と、上記軸部から突出し上記第一支持面と引っ掛かる頭部と、が設けられ、上記頭部は、上記第一支持面と引っ掛かった状態で、当該第一支持面と上記外側シール部材との間に弾性的に挟まれている。
【発明の効果】
【００１０】
本発明によれば、屋内側への水の侵入が抑制されやすい新規な構成の遮水板および開口部の防水装置が得られる。
【図面の簡単な説明】
【００１１】
【図１】図１は、第１実施形態の開口部の防水装置の模式的かつ例示的な平面図である。
【図２】図２は、第１実施形態の開口部の防水装置の屋外側かつ上側から見た例示的な斜視図である。
【図３】図３は、図２のIII-III断面図である。
【図４】図４は、第１実施形態の遮水板のフレーム部を構成する複数の部品のうちの一つが示された例示的な斜視図である。
【図５】図５は、第１実施形態の遮水板のフレーム部を構成する複数の部品のうちの隣接する二つが示された例示的な斜視図である。
【図６】図６は、第１実施形態の開口部の防水装置の第一の引掛部および第二の引掛部を屋内側かつ上側から見た例示的な斜視図である。
【図７】図７は、第１実施形態の開口部の防水装置の図８の状態となる前の状態での断面図である。
【図８】図８は、第１実施形態の開口部の防水装置の第一の引掛部と第二の引掛部とが引っ掛かった状態の例示的な断面図である。
【図９】図９は、第２実施形態の開口部の防水装置の第二の引掛部の例示的な斜視図である。
【発明を実施するための形態】
【００１２】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【００１３】
また、以下に開示される複数の実施形態には、同様の構成要素が含まれる。よって、以下では、同様の構成要素には共通の符号が付与されるとともに、重複する説明が省略される。また、以下では、便宜上、開口部１１の開口方向の屋外側（遮水板２の厚さ方向）がＸ方向、Ｘ方向の視線での左側がＹ方向、および上方がＺ方向と、定義される。また、以下では、開口部１１を介して一方側の空間から他方側の空間へ水が侵入する可能性がある場合の他方側（下流側）が屋内側と定義され、一方側（上流側）が屋外側と定義される。すなわち、屋内側（下流側）とは、水の侵入を抑制（阻止、防止）したい側であり、屋外側（上流側）とは、侵入可能性のある水が流れてくる側のことである。なお、屋内側や屋外側とは水が侵入する可能性がある場合の下流側や上流側を意味する便宜上の文言であり、本発明は、例えば廊下等の通路のような家屋や部屋等の概念が必ずしも明確にならない場所にも適用できる。
【００１４】
＜第１実施形態＞
図１，２に示されるように、防水装置１は、建物等の構造物の壁１０（側壁）に設けられた開口部１１に対応して、設けられる。開口部１１は、床面１２の上側に隣接し、側方（Ｘ方向）に向けて開口している。開口部１１は、上下方向に長い長方形状（四角形状）に形成される。開口部１１の縁は、床面１２と、左右両側で上下方向に延びる方立１３，１３（柱、構造物）と、上方で左右方向（側方）に延びる梁（図示されず）とによって構成される。方立１３は、角柱状に構成されている。なお、開口部１１の屋内側には、開口部１１を開閉可能に覆う扉１５，１５が設けられている。扉１５は、スライドドア（所謂自動ドア）である。扉１５は、壁１０および床面１２に沿って、図１の左右方向（Ｙ方向およびその反対方向）に、開位置（図示されず）と閉位置（図１）との間で移動する。なお、本実施形態では、床面１２ａとは開口部１１の下方に位置する面を意味する便宜上の文言であり、床面１２ａは、通常の床面に限らず、コンクリート面や地面等を含む。
【００１５】
防水装置１は、遮水板２を有する。遮水板２は、長方形（四角形）の板状に構成されている。遮水板２は、開口部１１の少なくとも下部を覆う。具体的に、遮水板２は、その厚さ方向（Ｘ方向）が床面１２と略平行な姿勢で、床面１２上に重ねられて起立するとともに、方立１３に屋外側から重ねられる。このように遮水板２が開口部１１の下部を覆った状態で、遮水板２の端部２ａ（下端部）と床面１２との間、および遮水板２の左右両側の端部２ｂ（側端部）と方立１３（構造物）との間がシールされることにより、開口部１１を介した屋内側への雨水等の水の浸入が、抑制（阻止、防止）される。
【００１６】
また、図３，４に示されるように、遮水板２は、パネル部４と、フレーム部５と、シール部材８（内側シール部材、第二のシール部材）と、を有する。また、図６，７に示されるように、遮水板２は、サポート部材１８と、シール部材１９（外側シール部材、第三のシール部材）と、を有する。パネル部４は、その厚さ方向（Ｘ方向）の視線で四つの端部４ａ（辺部、縁部、周縁部）を有した長方形（四角形）の板状に構成されている。すなわち、パネル部４は、扁平な長方形（四角形）の板状に構成されている。また、パネル部４は、長方形（四角形）の薄板状に構成された一対の外側部材６，６と、長方形（四角形）の板状（外側部材６よりも厚い板状）に構成された内側部材７と、を有し、内側部材７が厚さ方向（Ｘ方向）の両側に位置された一対の外側部材６，６の間に挟まれている。外側部材６，６と内側部材７とは、例えば接着やねじ止め等によって互いに結合（一体化）されうる。また、本実施形態では、内側部材７が外側部材６の材料（例えば、金属材料等）よりも軽量な材料（例えば、発泡材料等）で構成されることで、遮水板２が全体として比較的軽量となるよう構成されている。遮水板２の全体の比重は、例えば、水の比重よりも小さく設定されうる。これにより、操作者は、遮水板２の運搬や、取り付け、取り外し等を、より容易に行える。
【００１７】
フレーム部５は、パネル部４の四つの端部４ａ（周縁部）に沿って位置され、当該四つの端部４ａを周状に囲っている。フレーム部５は、パネル部４に取り付けられた状態で端部４ａの面４ｂ（端面）と対向する壁部５ａ（天壁部、上壁部）や、パネル部４に取り付けられた状態で外側部材６の面６ａ（外面）と対向（接触）する壁部５ｂ（側壁部）等の部分を有している。壁部５ａと二つの壁部５ｂとは略Ｃ字状（略Ｕ字状）の断面を形成している。パネル部４の端部４ａ（周縁部）およびシール部材８は、壁部５ａと二つの壁部５ｂとによって形成された凹部（溝部）内に収容されている。パネル部４とフレーム部５とは、例えば、外側部材６と壁部５ｂとを厚さ方向（Ｘ方向）に貫通するねじ等の結合具によって、互いに結合（一体化）されうる。また、壁部５ｂには、壁部５ａの短手方向（Ｘ方向）の内側に向けて突出した壁部５ｃ（突出部、リブ）が設けられている。壁部５ｃは、フレーム部５がパネル部４に取り付けられた状態で、端部４ａの面４ｂ（端面）と対向（接触）する。
【００１８】
また、図２に示されるように、フレーム部５は、パネル部４の四つの端部４ａのそれぞれに沿って配置され互いに隣接した複数（四つ）の部品９を有する。各部品９の長手方向（Ｙ方向またはＺ方向）の両側の端部９ａは、Ｘ方向の視線で、Ｙ方向とＺ方向との間の方向（斜め方向）に沿って延びている。そして、図５にも示されるように、互いに隣接する二つの部品９，９の端部９ａと端部９ａとが突き合わせられた状態で、各部品９がパネル部４に取り付けられている。二つの部品９，９の端部９ａと端部９ａとの間（接触部分、境界部分）には、僅かな隙間１４が生じる。隙間１４は、互いに隣接する二つの部品９，９の、壁部５ａと壁部５ａとの間、厚さ方向（Ｘ方向）の一方側の壁部５ｂと壁部５ｂとの間、および厚さ方向（Ｘ方向）の他方側の壁部５ｂと壁部５ｂとの間の三箇所（三辺）に生じる。この隙間１４は、例えば、ゴムテープ等のシール部材（図示されず）によってシールされうる。
【００１９】
図３，４に示されるように、シール部材８（内側シール部材、第二のシール部材）は、フレーム部５の壁部５ａとパネル部４の端部４ａとの間に設けられ、フレーム部５に覆われている。また、シール部材８は、パネル部４の四つの端部４ａ（周縁部）に沿って位置され、フレーム部５とパネル部４との間を四つの端部４ａに沿って周状にシールする。また、壁部５ａの面５ｆ（内面）と、壁部５ｃの面５ｆとは反対側の面５ｇ（端部４ａの面４ｂ）との間の長さは、自由状態（弾性変形していない状態）でのシール部材８の厚さ（高さ）よりも短く設定されている。そして、フレーム部５とパネル部４とが相対的に互いに近づく方向に押され、壁部５ｃの面５ｇと端部４ａの面４ｂとが接触した状態で、フレーム部５とパネル部４とが結合される。よって、フレーム部５の壁部５ａとパネル部４の端部４ａとの間には、シール部材８の弾性変形（圧縮）に伴う力Ｆｐ１（弾性力）が生じてシール部材８の面圧が高まり、シール性が向上する。シール部材８は、例えば、エラストマ等の弾性材料で構成される。
【００２０】
図６，７に示されるように、サポート部材１８は、方立１３に沿って上下方向に延びた細長い長方形（四角形）の板状に構成されている。サポート部材１８は、開口部１１の左右両側のそれぞれで、方立１３とパネル部４およびフレーム部５との間に位置される。サポート部材１８には、引掛部１７が設けられている。
【００２１】
図７に示されるように、シール部材１９（外側シール部材、第三のシール部材）は、サポート部材１８とパネル部４およびフレーム部５との間に設けられている。シール部材１９は、フレーム部５の壁部５ｂおよび外側部材６の面６ａに屋内側から接触するように設けられ、互いに隣接する二つの部品９，９（フレーム部５の構成部品）の間の隙間１４（図５参照）や、フレーム部５とパネル部４との間の隙間２０（境界部分）等を屋内側から覆う。シール部材１９は、例えば、エラストマ等の弾性材料で構成される。このようにシール部材１９が隙間１４および隙間２０を屋内側から覆うことにより、雨水等の水が隙間１４，２０を介して屋内側へ出るのが抑制される。また、シール部材１９は、遮水板２が方立１３に取り付けられた状態（図８の状態）で、サポート部材１８とパネル部４およびフレーム部５との間に挟まれることで、弾性的に圧縮され、面圧を生じる。この面圧によって、屋内側への水の浸入がより一層確実に抑制されうる。
【００２２】
図２，７，８に示されるように、遮水板２（のフレーム部５またはサポート部材１８）と床面１２および方立１３との間には、シール部材３（第一のシール部材）が設けられている。具体的に、シール部材３は、遮水板２の端部２ａと床面１２との間をシールする第一の部分３ａ（図２参照）と、遮水板２の端部２ｂと方立１３の面１３ａ（前面）との間をシールする第二の部分３ｂ（図２，７，８参照）と、を有する。シール部材３は、例えば、エラストマ等の弾性材料で構成される。シール部材３は、遮水板２と床面１２あるいは方立１３との間に挟まれることで、弾性的に圧縮され、面圧を生じる。この面圧によって、水の浸入がより一層確実に抑制されうる。なお、本実施形態では、シール部材３は、遮水板２に設けられるが、シール部材３の少なくとも一部は、床面１２や方立１３側に設けられてもよい。
【００２３】
また、左右の方立１３には、それぞれ、図６〜８に示される引掛部１６が設けられている。引掛部１６は、例えば、方立１３の屋外側に設けられうる。図６に示されるように、引掛部１６は、円柱状の軸部１６ａ（小径部、第一の部分）と、軸部１６ａの先端部（方立１３とは反対側の端部）に設けられ、軸部１６ａよりも大きな直径で構成された円板状の頭部１６ｂ（大径部、第二の部分）と、を有する。引掛部１６は、軸部１６ａおよび頭部１６ｂによって、側面視（Ｚ方向の視線、図７，８の視線）で略Ｔ字状の外観を呈している。
【００２４】
また、遮水板２には、左右の引掛部１６のそれぞれに対応して、図６〜８に示される引掛部１７が設けられている。引掛部１７は、例えば、遮水板２のサポート部材１８を厚さ方向（Ｘ方向）に貫通した開口部として構成されている。引掛部１７（開口部）は、引掛部１６の軸部１６ａを収容可能でありかつ頭部１６ｂを収容不能な長穴部１７ａ（小径部、第一の部分）と、長穴部１７ａと連通され、引掛部１６の頭部１６ｂを収容可能な円孔部１７ｂ（大径部、第二の部分）と、を有する。図６に示されるように、長穴部１７ａは、円孔部１７ｂの上下方向の上側に位置されている。また、図７，８に示されるように、シール部材１９の引掛部１７と厚さ方向（Ｘ方向）に重なる位置には、長穴部１７ａおよび円孔部１７ｂと連通する開口部１９ａ（凹部、収容部、溝部）が設けられている。よって、操作者が遮水板２を、頭部１６ｂと円孔部１７ｂとが厚さ方向（Ｘ方向、略水平方向）に対向する位置まで持ち上げ、遮水板２を厚さ方向（Ｘ方向）に沿って方立１３に近付けることで、頭部１６ｂが円孔部１７ｂおよび開口部１９ａに挿入される。さらに、操作者が遮水板２を下方へ押し下げることで、軸部１６ａが長穴部１７ａ内に進入する。この状態で、頭部１６ｂは、開口部１９ａに収容されたままである。図８に示されるように、軸部１６ａが長穴部１７ａに進入した状態では、頭部１６ｂがサポート部材１８とシール部材１９との間に弾性的に挟まれて摩擦力が生じ、引掛部１６が引掛部１７内で移動するのが抑制される。このように、引掛部１６と引掛部１７とが互いに引っ掛った状態で、引掛部１６，１７およびその周囲の構造によって、遮水板２が開口部１１を覆う位置（閉位置）から外れる（離脱する、移動する）のが抑制される。本実施形態では、引掛部１６は、第一の引掛部の一例であり、引掛部１７は、第二の引掛部の一例である。
【００２５】
また、本実施形態では、引掛部１７は、シール部材３の弾性変形に伴う力Ｆｐ２，Ｆｐ３（弾性力、図２，８参照）が生じた状態（第一の部分３ａおよび第二の部分３ｂが圧縮された状態）で、引掛部１６に引っ掛けられている。すなわち、本実施形態では、引掛部１７は、引掛部１６から方立１３側（屋内側）かつ下方へ力を受ける状態で引掛部１６と引っ掛かるよう構成されている。よって、本実施形態によれば、例えば、遮水板２の端部２ｂ（サポート部材１８）と方立１３の面１３ａとの間、および遮水板２の端部２ａ（フレーム部５）と床面１２との間の面圧が増大し、これらの位置でのシール性が向上される。なお、面圧の増大によって高まった第二の部分３ｂと方立１３との間の摩擦力やシール部材１９と頭部１６ｂとの間の摩擦力等によって、第一の部分３ａが圧縮された状態が維持され、頭部１６ｂと長穴部１７ａの周縁部（面１７ｃ）との接触によって、第二の部分３ｂが圧縮された状態が維持される。このように、本実施形態によれば、引掛部１７は、引掛部１６から方立１３側（屋内側）かつ下方（床面１２ａ側）へ力を受ける状態で引掛部１６と引っ掛かるよう構成されているため、遮水板２が比較的軽量である場合（例えば、遮水板２の全体の比重が水の比重より小さい場合等）でも、水による浮力で遮水板２が上方（床面１２とは反対側）へ移動してしまうのを効果的に抑制（阻止、防止）することができる。
【００２６】
以上、説明したように、本実施形態では、遮水板２は、板状のパネル部４と、パネル部４の四つの端部４ａ（周縁部）を囲むフレーム部５と、フレーム部５に覆われパネル部４とフレーム部５との間をシールする弾性変形可能なシール部材８（内側シール部材）と、を有する。よって、本実施形態によれば、例えば、シール部材８によって、屋外側からパネル部４とフレーム部５との間に侵入した水が屋内側へ出るのが抑制される。
【００２７】
また、本実施形態では、パネル部４は、少なくとも遮水板２の厚さ方向（Ｘ方向）の両側に位置された一対の外側部材６，６と、一対の外側部材６，６の間に位置され外側部材６よりも軽量な材料で構成された内側部材７と、を有する。よって、本実施形態によれば、例えば、内側部材７をより軽い部材とし、外側部材６をより丈夫な部材とすることで、軽さと丈夫さとを両立することができる。すなわち、内側部材７の利点と外側部材６の利点との双方を得ることができる。
【００２８】
また、本実施形態では、フレーム部５は、パネル部４の四つの端部４ａ（周縁部）に沿って配置され互いに隣接した複数の部品９を有し、互いに隣接した複数の部品９間の隙間１４を屋内側から覆うシール部材１９（外側シール部材）を有する。よって、本実施形態によれば、例えば、シール部材１９によって、屋外側からパネル部４とフレーム部５との間に侵入した水が隙間１４を介して屋内側へ出るのが抑制される。
【００２９】
また、本実施形態では、パネル部４、フレーム部５、およびシール部材８を有した遮水板２と、遮水板２と床面１２との間、および遮水板２と方立１３（構造物）との間をシールする弾性変形可能なシール部材３（第一のシール部材）と、遮水板２に設けられ、方立１３に設けられた引掛部１６から屋内側かつ下方へ力を受ける状態で引掛部１６と引っ掛かるよう構成された引掛部１７と、を備える。よって、本実施形態によれば、例えば、引掛部１６，１７を用いた比較的簡素な構成によって、遮水板２を、開口部１１を覆う位置に留めることができる。また、例えば、操作者は、引掛部１７を引掛部１６に引っ掛けて移動させるという比較的簡単な操作によって、遮水板２を、開口部１１を覆う位置に取り付けたり、開口部１１を覆う位置から取り外したりすることができる。また、引掛部１６と引掛部１７との引っ掛かりによって、シール部材３が弾性変形して面圧が増大され、遮水板２と方立１３との間、および遮水板２と床面１２との間のシール性が向上される。また、例えば、遮水板２が比較的軽量である場合（例えば、遮水板２の全体の比重が水の比重より小さい場合等）に、引掛部１６と引掛部１７との引っ掛かりが、シール性の向上に資する場合がある。
【００３０】
なお、本実施形態では、引掛部１６が方立１３側に設けられたが、引掛部１６が遮水板２側に設けられ、引掛部１７が方立１３側に設けられてもよい。この場合、例えば、操作者は、遮水板２を傾斜させた状態で引掛部１６を引掛部１７内に挿入し、遮水板２の下部を方立１３側へ押し込むことで、遮水板２を所定位置（開口部１１を屋外側から覆う位置）に移動することができる。また、この場合には、頭部１６ｂと方立１３側に設けられた長穴部１７ａの上側の縁部との接触によって、引掛部１６ひいては遮水板２の上方への移動が抑制される。また、シール部材３，１９は、サポート部材１８と別体で設けられてもよいし、サポート部材１８と一体で設けられてもよいし、あるいはサポート部材１８自体が、例えば弾性部材等によって構成され、シール部材３，１９の機能を兼ねるよう構成されてもよい。また、シール部材８は、パネル部４の内側部材７と別体で設けられてもよいし、内側部材７と一体で設けられてもよいし、あるいは内側部材７（パネル部４）がシール部材８の機能を兼ねるよう構成されてもよい。また、防水装置１および遮水板２には、シール部材８，１９が設けられることは必須ではなく、例えばシール部材８，１９のうちいずれか一方のみが設けられる構成、あるいは両方とも設けられない構成であってもよい。
【００３１】
＜第２実施形態＞
図９に示される実施形態の防水装置は、上記第１実施形態の防水装置１と同様の構成を備えている。よって、本実施形態によっても、上記第１実施形態と同様の構成に基づく同様の結果（効果）が得られる。
【００３２】
ただし、本実施形態では、図９に示されるように、サポート部材１８には、引掛部１７に替えて、引掛部１７Ａが設けられている。引掛部１７Ａは、板状の壁部１７ｅ（底壁部、下壁部）や、壁部１７ｅに一端側が固定され他端側が自由端となった片持ち梁状の壁部１７ｆ等の部分を有する。壁部１７ｆの他端側は、壁部１７ｅと厚さ方向の一方側（方立１３側）に離間している。壁部１７ｆは、壁部１７ｅに対して傾斜している。また、壁部１７ｅには、引掛部１６の頭部１６ｂを収容可能な穴部１７ｇ（貫通孔、開口部）が設けられている。また、壁部１７ｆには、引掛部１６の軸部１６ａを収容可能でありかつ頭部１６ｂを収容不能なスリット１７ｈ（開口部）が設けられている。本実施形態では、スリット１７ｈが引掛部１７の長穴部１７ａに相当し、穴部１７ｇが引掛部１７の円孔部１７ｂに相当する。本実施形態では、例えば、スリット１７ｈの先端側が上側を向いた状態で、引掛部１７Ａがサポート部材１８等に結合されうる。この場合、操作者は、遮水板２を傾斜させた状態で引掛部１７Ａ内に引掛部１６を上側から挿入し、遮水板２の下部を方立１３側へ押し込むことで、遮水板２を所定位置（開口部１１を屋外側から覆う位置）に移動することができる。頭部１６ｂとスリット１７ｈの周縁部（壁部１７ｆの方立１３とは反対側の面）との接触により、引掛部１７Ａひいては遮水板２の屋外側への移動が抑制され、スリット１７ｈの基端部１７ｉと軸部１６ａとの接触により、引掛部１７Ａひいては遮水板２の上側への移動が抑制される。
【００３３】
なお、本実施形態では、引掛部１７Ａがサポート部材１８に設けられた場合を例示したが、引掛部１７Ａはパネル部４に設けられてもよい。また、この場合、上記第１実施形態のシール部材１９（図８参照）およびサポート部材１８を廃止して、シール部材３の第二の部分３ｂが、遮水板２（パネル部４およびフレーム部５）と方立１３との間をシールする機能と、隙間１４や隙間２０を屋内側から覆ってシールする機能との二つを兼ねるようにしてもよい。
【００３４】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形状、大きさ、長さ、幅、厚さ、高さ、数、配置、位置、材質等）は、適宜に変更して実施することができる。例えば、開口部の縁部（方立等）の形状や、引掛部の形状、引掛部の位置等も、上記実施形態には限定されない。
【符号の説明】
【００３５】
１…防水装置、２…遮水板、３…シール部材（第一のシール部材）、４…パネル部、４ａ…端部（周縁部）、５…フレーム部、６…外側部材、７…内側部材、８…シール部材（内側シール部材）、９…部品、１１…開口部、１２…床面、１３…方立（構造物）、１４…隙間、１６…引掛部（第一の引掛部）、１７…引掛部（第二の引掛部）、１９…シール部材（外側シール部材）、Ｘ…厚さ方向。
【図１】
0006456074.tif 000002
【図２】
0006456074.tif 000003
【図３】
0006456074.tif 000004
【図４】
0006456074.tif 000005
【図５】
0006456074.tif 000006
【図６】
0006456074.tif 000007
【図７】
0006456074.tif 000008
【図８】
0006456074.tif 000009
【図９】
0006456074.tif 000010